(57)【要約】      （修正有）【課題】薄手のパネル板も厚手のパネル板も一つの枠体で共通使用が可能であるパネル板の枠体構造を提供すること。【解決手段】枠体２２ａが、断面視で、平板状の外周部３３と、この外周部３３の左右方向中央から内方に向けて突設し、かつその左右方向中央に内方が開口する溝部４０を有する内周部３６とを備えたものとすると共に、溝部４０には薄手のパネル板の周縁が嵌合可能であり、且つ、内周部３６が、厚さが内周部の幅と略同一の芯材２０ａと、この芯材２０ａの両側に張り合わされた芯材２０ａより一回り大きな表面板２０ｂ，２０ｃとからなる厚手のパネル板２０の周縁開口部Ｍに嵌合可能に構成され、一つの共通枠体に薄手のパネル板も厚手のパネル板２０も嵌合できる。【選択図】図６
2005139800.tif 000002
【特許請求の範囲】
【請求項１】
パネル板の周縁を枠体により保護したパネル板の枠体構造であって、前記枠体が、断面視で、平板状の外周部と、該外周縁部の左右方向中央から内方に向けて突設し、かつその左右方向中央に内方が開口する溝部を有する内周部とを備えたものとするとともに、前記溝部には、薄板からなるパネル板の周縁が嵌合可能であり、かつ、前記内周部が、厚さが前記内周部の幅と略同一の芯材と、該芯材の両側に張り合わされた前記芯材より一回り大きな表面板とからなる厚板パネル板の周縁開口部に嵌合可能であることを特徴とするパネル板の枠体構造。
【請求項２】
前記枠体は一対の側枠体と上下枠体とから成り、側枠体と上下枠体とは角部に配置した４つのコーナ連結部材により係脱自在に連結されている請求項１に記載のパネル板の枠体構造。
【請求項３】
前記側枠体と上下枠体は断面が同一形状である請求項２に記載のパネル板の枠体構造。
【請求項４】
前記側枠体と上下枠体は内周部に貫通孔が形成され、前記コーナ連結部材の取付片が前記貫通孔内で締着されている請求項２または３に記載のパネル板の枠体構造。
【発明の詳細な説明】
【技術分野】
【０００１】
本発明は、周縁が補強若しくは保護されるパネル板に利用されるパネル板の枠体構造に関する。
【背景技術】
【０００２】
従来、パネル板の補強若しくは保護のための枠体は、パネル板の厚さに応じてパネルの支持構造が特定されていた。そして、比較的厚さの薄い薄板のパネル板にあっては、枠体の内周側に支持溝を形成し、該溝にパネル板を挟み込むパネル板の枠体構造が知られている（特許文献１参照）。
【０００３】
【特許文献１】特許第２９３９７９６号公報（１図）。
【発明の開示】
【発明が解決しようとする課題】
【０００４】
しかしながら、従来のこのようなパネル枠体構造は薄板のパネル板には好適であるが、パネルが芯材と２枚の表面板から成る厚手のパネル板になると、支持溝もそれに合わせて大きく形成しなければならず、枠体自体の厚さも厚くする必要があった。また、パネル体の使用場所や利用者の好みにおいて薄板パネル体と、芯材を中心部に配した３層構造の厚手パネル体とを交換自在に設置する場合に、それぞれのパネル板に対しては専用の枠体を準備しておく必要があり、保管管理上もまたコスト的にも問題があった。
【０００５】
本発明は、このような問題点に着目してなされたもので、薄手のパネル板も厚手のパネル板も一つの枠体で共通使用が可能であるパネル板の枠体構造を提供することを目的とする。
【課題を解決するための手段】
【０００６】
上記の目的を解決するために、本発明の請求項１に記載のパネル板の枠体構造は、パネル板の周縁を枠体により保護したパネル板の枠体構造であって、前記枠体が、断面視で、平板状の外周部と、該外周部の左右方向中央から内方に向けて突設し、かつその左右方向中央に内方が開口する溝部を有する内周部とを備えたものとするとともに、前記溝部には、薄板からなるパネル板の周縁が嵌合可能であり、かつ、前記内周部が、厚さが前記内周部の幅と略同一の芯材と、該芯材の両側に張り合わされた前記芯材より一回り大きな表面板とからなる厚板パネル板の周縁開口部に嵌合可能であることを特徴としている。
この特徴によれば、枠体の内周部に設けた溝部で薄板パネル板の周縁を嵌合し、内周部で厚板パネル板を嵌合できるので、枠体の共用化が図れる。
【０００７】
本発明の請求項２に記載のパネル板の枠体構造は、請求項１に記載のパネル板の枠体構造であって、前記枠体は一対の側枠体と上下枠体とから成り、側枠体と上下枠体とは角部に配置した４つのコーナ連結部材により係脱自在に連結されていることを特徴としている。
この特徴によれば、各枠体がコーナ連結部材を介して連結されることにより、パネル板外周に枠体をしっかりと保持することができ、かつ各枠体はコーナ連結部材を介して分解できるので、種類の異なるパネル体の付け替えも容易である。
【０００８】
本発明の請求項３に記載のパネル板の枠体構造は、請求項２に記載のパネル板の枠体構造であって、前記側枠体と上下枠体は断面が同一形状であることを特徴としている。
この特徴によれば、側枠体も上下枠体も、例えば押出し成形等で製造した同一断面形状とすれば、側枠体や上下枠体の部品供給は線状の押出し成型品を切断するだけで得られる。
【０００９】
本発明の請求項４に記載のパネル板の枠体構造は、請求項２または３に記載のパネル板の枠体構造であって、前記側枠体と上下枠体は内周部に貫通孔が形成され、前記コーナ連結部材の取付片が前記貫通孔内で締着されていることを特徴としている。
この特徴によれば、貫通孔によりパネル体全体の重量が軽量化されるとともに、貫通孔を利用してコーナ連結部材の締着部を構成することができる。
【発明を実施するための最良の形態】
【００１０】
本発明の実施例を以下に説明する。
【実施例】
【００１１】
本発明の実施例を図面に基づいて説明すると、先ず図1は本発明の実施例におけるパネル体が組み付けられた共有空間構造体の全体斜視図、図２はパネル体が支持される上部受材と下部受材がポールに取付けられる状態を示す分解斜視図、図３は本発明の枠体構造を有するパネル体を上部受材と下部受材に組込む状態を示す説明図、図４（ａ）は本発明の枠体構造を有するパネル体の正面図、（ｂ）はパネル板と枠体の部分分解斜視図、図５は本発明の枠体構造を構成するコーナ部における部分分解斜視図、図６（ａ）は厚手のパネル板がパネル枠体に組込まれた部分断面図、（ｂ）は薄手のパネル板がパネル枠体に組込まれた部分断面図であり、図７は上部受材と下部受材間にパネル体を組み込む手順を示したもので（ａ）組み込んだ直後の状態を示す断面図、（ｂ）は組み込み後のパネル体の定着状態を示す断面図である。
【００１２】
先ず図1には、本発明の実施例としての枠体構造を有するパネル体を組合せて構築される共有空間構造体１の全体斜視図が示されており、この共有空間構造体１は、下端にベース部材２を備えた６本のポール３ａ〜３ｄと、これらポール３ａ〜３ｄ間を上端で連結するフレーム４１との組合せで構築されている。
【００１３】
図２に示すように、フレーム４１はフレーム部材４とその下部に設けた上部受材１４とで構成され、この上部受材１４とポール３ａ〜３ｄの下部に定着した下部受材１８間には、パネル体６が取付けられており、ポール３ａ〜３ｄの下端に設けたベース部材２は、共有空間構造体の外郭を画定する床面７の所定位置に設置され、その底部に設けられた数個のアジャスタ（図示せず）の位置調整により床面が多少変形或いは傾斜していてもベース部材２が常に水平状態を維持できるように構成されている。
【００１４】
ポール３ａ（３ｂ、３ｃ、３ｄ）の上端はトップキャップ５が着脱自在に固定されている。このトップキャップはその底部中央に図示しない螺合雄ねじを有し、ポール３の上部中央に形成されている雌ねじ部３Ｘとネジ結合することにより、ポール３ａ（３ｂ、３ｃ、３ｄ）の外周に形成されている溝部９が覆われるようになっている。
【００１５】
更に、ポール３ａ（３ｂ、３ｃ、３ｄ）は、本実施例では放射状に延びる断面略Ｕ字状の８つの溝部９が上下方向に延びており、各溝部９の外方を向く開口９ａの左右両側に、遊端が互いに向き合って離間する左右の係止片１０により溝部９の先端が一部覆われている。本実施例において溝部９は円柱状のポールに形成しているため、比較的多くの溝部９を形成でき、そのためにフレームの取付け方向が選択できる。また、ポール形状は円柱状と限らず、例えば四角柱状のもので４つの溝を形成するようにしたものであってもよい。
【００１６】
フレーム部材４は、上下に並設した上部フレーム４ａと下部フレーム４ａ’間を複数のリブ４ｂで接続してトラス構造に構成され、上下フレーム４ａ，４ａ’の両端には外側端面に取着部を形成した一対の止着部材１２が設けられ、両止着部材１２はポール３ａ（３ｂ、３ｃ、３ｄ）の溝部９に装着された受け体１１に取付けられている。
【００１７】
詳しくは、止着部材１２と受け体１１がボルトＢを介して取付ける際は、溝部９に挿入された受け体１１と止着部材１２とで開口９ａの左右両側に形成された一対の係止片１０の両面が挟持され、この摩擦力によりフレーム部材４が両ポール３に固定されている。
【００１８】
また、フレーム部材４の下面には、パネル体６の上端縁を取付ける為の上部受材１４がねじで止着部材１２に取付けられると共に、ポール３ａ（３ｂ、３ｃ、３ｄ）側面の溝部９にはパネル体６の側端縁と当接する端部隠蔽部材１６が取付けられている。
【００１９】
更に、ポール３下端の溝部９には、受け体１１と同じ機能を有する短尺の受け体１３が挿入されており、この受け体１３には板材をＬ字形に折曲形成されたブラケット１５がボルトＢを介して取付けられ、このブラケット１５にはパネル体６の下端部を支持するための帯板状の下部受材１８が取付けられ、床面７上に敷設されている。
【００２０】
パネル体は厚板パネル体６と薄板パネル体６’の２種類用意され、厚板パネル体６は図６（ａ）に示すように、芯材２０ａとその両側に張り合わされた芯材より一回り大きな表面板２０ｂ，２０ｃとからなる３層構造のパネル板２０で構成され、薄板パネル体６’は図６（ｂ）に示すように、薄手のパネル板２０’ａ１枚で構成されており、厚板パネル体６及び薄板パネル体６’とも共通の枠体で外周面が保護されている。
【００２１】
図５に示すように、厚板のパネル板２０は、外周端縁に沿って所定深さの嵌合溝Ｍが周縁開口部として全周に形成されており、この嵌合溝Ｍには４本の枠体とコーナ連結部材２５が取付けられる。４本の枠体は、図３に示すように、上下枠体２２ａ，２２ｂと左右の側枠体２４ａ，２４ｂ、及びこれら４本の枠体のコーナ部を連結する４つのコーナ連結部材２５とから構成されている。
【００２２】
そこで、４本の枠体とコーナ連結部材に付き図３〜図６を参照して以下に詳述する。なお、４本の枠体の断面構造は、全て同一構造で構成されており、本実施例では上枠体２２ａを中心に説明する。
【００２３】
上枠体２２ａ  は、図６（ａ）に示すように、断面視で平板状の外周部３３と、この外周部３３の左右方向中央から内方に向けて突設し、かつその左右方向中央に内方が開口する溝部４０を有する内周部３６とを備えている。この内周部３６の幅は厚手のパネル板２０の嵌合溝Ｍと丁度嵌合できるよう表面板２０ｂ、２０ｃの内寸法と一致している。一方、内周部３６の溝部４０の幅は、図６（ｂ）に示すように薄手のパネル板２０’ａが嵌合出来る寸法となっている。したがって、上枠体２２ａを含め全ての枠体は、厚手のパネル板２０及び薄手のパネル板２０’ａのいずれも組み付けることができる構造となっている。
【００２４】
更に、上枠体２２ａの内周部３６には貫通孔３８が形成され、図５に示すように、この貫通孔３８にはコーナ連結部材２５の連結片２５ａが挿嵌されてねじ３２で上枠体２２ａと連結固定される。また、左右の側枠体２４ａ、２４ｂの外周部３３の左右方向中央には、外方に開口する凹溝Ｇが形成されており、凹溝Ｇの開口側両面には一対の係止溝３４が形成されており、この係止溝３４にはキャップ３７（図５参照）が係合されて凹溝Ｇ全体が閉塞されるようになっている。
【００２５】
次にコーナ連結部材２５は、矩形状のパネル板２０の４箇所のコーナ部にそれぞれ装着されるもので、パネル板２０外周の４辺に装着される上下枠体２２ａ，２２ｂと左右側枠体２４ａ，２４ｂの端部同士を連結することでパネル板２０の外周縁を保護するための後述するパネルの枠体構造が構築されるようになっている。
【００２６】
図４（ｂ）と図５に示すように、コーナ連結部材２５の交差する両端に形成された連結片２５ａ，２５ｂは、上枠体２２ａと左側枠体２４ａに形成される貫通孔３８に嵌入可能に形成されており、嵌入された連結片２５ａ，２５ｂは、そのネジ孔Ｔに各枠体の凹溝Ｇ底面の２つの挿通小孔を介して挿通したネジ３２を螺着することで上枠体２２ａと左側枠体２４ａがコーナ連結部材２５を介して連結される。
【００２７】
このようにして外周縁を枠体で保護ないしは補強されたパネル体６の上枠体２２ａには、図４（ａ）に示すように、予め凹溝Ｇの底面に穿設された図示しない一対のネジ孔に２本のボルトＢを介して一対のＬ字形ブラケット２６が左右に固定されている。
【００２８】
そこで、図３及び図７（ａ）に示すように、フレーム部材４下面の上部受材１４と下部受材１８間に、パネル体６を単体または連続してはめ込んだ後、図７（ｂ）に示すように、上部受材１４下面の開口に挿入されたブラケット２６のネジ孔２６ａに上部受材１４の下端側面に形成された挿通孔より挿通したネジ３２を螺着する。また。パネル体６はジャッキボルト２８を調節して、その直下の床面７上に敷設された下部受材１８上面に支持させる。
【００２９】
このように本発明のパネル板の枠体構造によれば、３層構造のパネル板２０も単層のパネル板２０’ａも一つの共通枠体を使用できるので、コスト的に有利である。また上下枠体２２ａ，２２ｂと側枠体２４ａ，２４ｂがコーナ連結部２５で取り外し自在に連結されているのでパネル板の取り替えも容易にできる。しかも側枠体２４ａ，２４ｂと上下枠体２２ａ，２２ｂを同一断面形状とすることで、押出し成型品を適宜の長さに切断するだけ側枠体にも上下枠体にも使用できる。
【図面の簡単な説明】
【００３０】
【図１】本発明の実施例におけるパネル体が組み付けられた共有空間構造体の全体斜視図である。
【図２】パネル体が支持される上部受材と下部受材がポールに取付けられる状態を示す分解斜視図である。
【図３】本発明の枠体構造を有するパネルを上部受材と下部受材に組込む状態を示す説明図である。
【図４】（ａ）は本発明の枠体構造を有するパネル体の正面図、（ｂ）はパネル板と枠体の部分分解斜視図である。
【図５】本発明の枠体構造を構成するコーナ部における部分分解斜視図である。
【図６】（ａ）は厚手のパネル板がパネル枠体に組込まれた部分断面図、（ｂ）は薄手のパネル板がパネル枠体に組込まれた部分断面図である。
【図７】上部受材と下部受材間にパネル体を組み込む手順を示したもので（ａ）は組み込んだ直後の状態を示す断面図、（ｂ）は組み込み後のパネル体の定着状態を示す断面図である。
【符号の説明】
【００３１】
１                      共有空間構造体
２                      ベース部材
２ａ                    ねじ部材
３ａ〜３ｄ              ポール
３Ｘ                    雌ねじ部
４                      フレーム部材
４ａ                    上部フレーム
４ａ’                  下部フレーム
４ｂ                    リブ
５                      トップキャップ
６                      厚板パネル体
６’                    薄板パネル体
７                      床面
９                      溝部
９ａ                    開口
１０                    係止片
１１，１３，            受け体
１２                    止着部材
１４                    上部受材      
１５                    ブラケット
１６                    端部隠蔽部材
１８                    下部受材      
２０                    厚手のパネル板
２０ａ                  芯材
２０ｂ，２０ｃ          表面板
２０’ａ                薄手のパネル板
２２ａ                  上枠体
２２ｂ                  下枠体
２４ａ                  左側枠体
２４ｂ                  右側枠体
２５                    コーナ連結部材
２５ｃ                  凹溝
２５ａ，２５ｂ          連結片
２６                    ブラケット
２６ａ                  ネジ孔
２８                    ジャッキボルト
３２                    ネジ
３３                    外周部
３４                    係止溝
３６                    内周部            
３７                    キャップ
３８                    貫通孔            
４０                    溝部
Ｂ                      ボルト
Ｇ                      凹溝
Ｍ                      嵌合溝（周縁開口部）
Ｔ                      ネジ孔
【図１】
2005139800.tif 000003
【図２】
2005139800.tif 000004
【図３】
2005139800.tif 000005
【図４】
2005139800.tif 000006
【図５】
2005139800.tif 000007
【図６】
2005139800.tif 000008
【図７】
2005139800.tif 000009